(57)【要約】      （修正有）【課題】可動部を正常に移動させることが可能な光ピックアップのレンズ駆動機構を提供する。【解決手段】光ピックアップのレンズ駆動機構５０は、リードスクリュ５１を回転させるステッピングモータ５２と、リードスクリュ５１と螺合するリードナット５３と、コリメートレンズ２４を保持するとともに、リードナット５３が移動可能に係合してリードナット５３の回転を規制する回転規制部５４ｄを含み、リードスクリュ５１の回転によるリードナット５３の移動とともに移動されるレンズホルダ５４と、リードナット５３と回転規制部５４ｄとの係合状態が解除されるのを抑制する規制溝部１１を含む基台１０とを備える。【選択図】図９
2010157294.tif 000002
【特許請求の範囲】
【請求項１】
リードスクリュを回転させる駆動源と、
前記リードスクリュと螺合するナット部材と、
レンズを保持するとともに、前記ナット部材が移動可能に係合して前記ナット部材の回転を規制する第１規制部を含み、前記リードスクリュの回転による前記ナット部材の移動とともに移動されるレンズ保持部材と、
前記ナット部材と前記第１規制部との係合状態が解除されるのを抑制する第２規制部を含む基台とを備えた、光ピックアップのレンズ駆動機構。
【請求項２】
前記ナット部材は、前記ナット部材の外側面から突出して前記第２規制部に配置される第１凸部を含み、
前記基台の前記第２規制部は、前記ナット部材の前記第１凸部が前記第２規制部に当接することにより前記ナット部材の回転を所定の角度範囲内に規制するように構成されている、請求項１に記載の光ピックアップのレンズ駆動機構。
【請求項３】
前記第２規制部は、前記第１凸部が嵌まり込むように形成された凹形状の断面を有する溝部であり、
前記第２規制部は、前記溝部が前記レンズ保持部材の移動する方向に沿って延びるように形成されている、請求項２に記載の光ピックアップのレンズ駆動機構。
【請求項４】
前記ナット部材は、前記ナット部材の前記第１凸部が設けられた位置とは異なる位置の前記外側面から突出する第２凸部をさらに含み、
前記レンズ保持部材の前記第１規制部は、凹部を有し、
前記ナット部材は、前記第２凸部が前記第１規制部の前記凹部に移動可能に係合することにより、前記レンズ保持部材に対する前記ナット部材の回転が規制されるように構成されている、請求項３に記載の光ピックアップのレンズ駆動機構。
【請求項５】
前記ナット部材の前記第２凸部が前記第１規制部の前記凹部と係合する方向と、前記基台の前記第２規制部の延びる方向とは略同じである、請求項４に記載の光ピックアップのレンズ駆動機構。
【請求項６】
前記第１規制部の前記凹部は、前記凹部の底部から前記ナット部材の前記第２凸部に向かって前記凹部の開口幅が広がるように形成された斜面部を有しており、
前記レンズ保持部材は、前記ナット部材の前記第２凸部が前記斜面部をスライドして前記第１規制部に嵌まり込むように構成されている、請求項４または５に記載の光ピックアップのレンズ駆動機構。
【請求項７】
前記斜面部は、前記ナット部材の前記第２凸部が前記第１規制部を横切る方向における前記第１規制部の両側に一対設けられているとともに、前記第２規制部は、前記第１凸部が嵌まり込むように形成された凹形状の断面を有する溝部であり、
前記第１規制部の一方側の前記斜面部から他方側の前記斜面部までの最大距離は、前記基台の前記溝部の幅よりも大きい、請求項６に記載の光ピックアップのレンズ駆動機構。
【請求項８】
前記第１規制部および前記第２規制部により前記ナット部材の回転が規制された状態で、前記リードスクリュの回転を利用して前記ナット部材を光軸方向に移動させて前記レンズを保持する前記レンズ保持部材を前記光軸方向に移動させることによって、光源からのレーザ光をディスクの記録層に集光させる際の球面収差を前記レンズの移動によって補正するように構成されている、請求項１〜７のいずれか１項に記載の光ピックアップのレンズ駆動機構。
【発明の詳細な説明】
【技術分野】
【０００１】
この発明は、光ピックアップのレンズ駆動機構に関し、特に、駆動源とレンズ保持部材とを備えた光ピックアップのレンズ駆動機構に関する。
【背景技術】
【０００２】
従来、駆動源とレンズ保持部材とを含むレンズ駆動機構を備えた光ピックアップなどが知られている（たとえば、特許文献１〜４参照）。
【０００３】
上記特許文献１には、回転軸にリードスクリュが取り付けられたステッピングモータと、一方端部にリードナットが一体的に形成された光学ヘッドと、装置本体に設けられるとともに光学ヘッドの他方端部を貫通するシャフトとを備えた光学式情報記録再生装置が開示されている。この特許文献１に記載の光学式情報記録再生装置では、リードナットがリードスクリュに螺合されるとともに、リードスクリュとシャフトとが略平行に配置されているので、光学ヘッドは、リードスクリュの正逆回転に伴ってシャフトの延びる方向に沿って前後方向に往復移動することが可能に構成されている。これにより、光学ヘッドは、所定領域を移動しながら記録媒体（光カード）に照射された光ビームの戻り光を検出するように構成されている。
【０００４】
また、上記特許文献２には、回転軸にカムが取り付けられたステッピングモータと、カムに当接する突起部を有する腕部が一体的に形成されるとともに光学レンズが取り付けられた可動ホルダと、可動ホルダを上下から挟み込むとともに互いに略平行に延びるガイドレールおよびガイドシャフトが設けられたユニットベースとを備えたレンズ駆動ユニットが開示されている。この特許文献２に記載のレンズ駆動ユニットでは、可動ホルダの突起部がカムに当接した状態でカムが正逆回転することにより、可動ホルダは、ガイドレールの延びる方向に沿って前後方向に往復移動することが可能に構成されている。これにより、光学レンズの光軸方向の位置が調整されるように構成されている。
【０００５】
また、上記特許文献３には、回転軸にリードスクリュが取り付けられたモータと、一方端部にラックギアが形成されたアーム部の他方端部と一体的に接続されるとともに補正レンズが取り付けられたレンズガイド軸と、装置本体に設けられるとともにレンズガイド軸をリードスクリュの延びる方向と略平行な方向に摺動可能に保持するガイドホルダとを備えた光ピックアップ装置が開示されている。この特許文献３に記載の光ピックアップ装置では、ラックギアがリードスクリュに係合されているので、レンズガイド軸は、リードスクリュの正逆回転に伴って前後方向に往復移動することが可能に構成されている。これにより、補正レンズの光軸方向の位置が調整されるように構成されている。
【０００６】
また、上記特許文献４には、回転軸にリードスクリュが取り付けられた駆動モータと、一方端部に係合ナットが一体的に形成されるとともに球面収差補正用レンズが取り付けられたレンズホルダと、装置本体に設けられるとともにレンズホルダの他方端部を貫通するガイド軸とを備えた光ピックアップが開示されている。この特許文献４に記載の光ピックアップでは、係合ナットがリードスクリュに螺合されるとともに、リードスクリュとガイド軸とが略平行に配置されているので、レンズホルダは、リードスクリュの正逆回転に伴ってガイド軸の延びる方向に沿って前後方向に往復移動することが可能に構成されている。これにより、球面収差補正用レンズの光軸方向の位置が調整されるように構成されている。
【０００７】
【特許文献１】特開平６−３４９０８０号公報
【特許文献２】特開２００８−１８１６０７号公報
【特許文献３】特開２００４−３３５０２２号公報
【特許文献４】特開２００６−１４７０５４号公報
【発明の開示】
【発明が解決しようとする課題】
【０００８】
しかしながら、上記特許文献１に記載の光学式情報記録再生装置では、光学ヘッドにリードナットが一体的に形成されているため、ステッピングモータを駆動して光学ヘッドを往復移動させる際、リードスクリュとリードナットとの螺合状態が光学ヘッドに直接的に影響すると考えられる。特に、装置本体を組み立てる際に生じる部品の組み付け誤差などに起因してリードスクリュと光学ヘッドの他方端部を貫通するシャフトとの平行度が保たれない場合、リードスクリュの回転軸と光学ヘッドの移動方向とが一致しなくなり、リードナットのネジ山がリードスクリュのネジ山に乗り上げてしまう「食い付き」が発生しやすくなる。この場合、光学ヘッドの移動方向とリードスクリュの回転軸とにさらなるずれが生じてしまい、光学ヘッドを正常に移動させることができないという問題点がある。
【０００９】
また、上記特許文献２に記載のレンズ駆動ユニットでは、可動ホルダにカムに当接する突起部が一体的に形成されているため、ステッピングモータを駆動して可動ホルダを往復移動させる際、カムと突起部との当接が可動ホルダに直接的に影響すると考えられる。特に、レンズ駆動ユニットを組み立てる際に生じる部品の組み付け誤差などに起因してリードスクリュと光学ヘッドの他方端部を貫通するシャフトとの平行度が保たれない場合、リードスクリュの回転軸と光学ヘッドの移動方向とが一致しなくなり、リードナットのネジ山がリードスクリュのネジ山に乗り上げてしまう「食い付き」が発生しやすくなる。この場合、光学ヘッドの移動方向とリードスクリュの回転軸とにさらなるずれが生じてしまい、光学ヘッドを正常に移動させることができないという問題点がある。
【００１０】
また、上記特許文献３に記載の光ピックアップ装置では、レンズガイド軸にラックギアが形成されたアーム部が一体的に形成されているため、モータを駆動してレンズガイド軸を往復移動させる際、リードスクリュとラックギアとの螺合状態がレンズガイド軸に直接的に影響すると考えられる。特に、装置本体を組み立てる際に生じる部品の組み付け誤差などに起因してリードスクリュとリードスクリュの延びる方向と略平行な方向に摺動可能に保持するガイドホルダとの平行度が保たれない場合、ラックギアのネジ山がリードスクリュのネジ山に乗り上げてしまう「食い付き」が発生しやすくなる。この場合、レンズガイド軸の移動方向とリードスクリュの回転軸とにさらなるずれが生じてしまい、レンズガイド軸を正常に移動させることができないという問題点がある。
【００１１】
また、上記特許文献４に記載の光ピックアップにおいても、レンズホルダに係合ナットが一体的に形成されているため、駆動モータによりレンズホルダを往復移動させる際、リードスクリュと係合ナットとの螺合状態がレンズホルダに直接的に影響すると考えられる。特に、装置本体を組み立てる際に生じる部品の組み付け誤差などに起因してリードスクリュとレンズホルダの他方端部を貫通するガイド軸との平行度が保たれない場合、係合ナットのネジ山がリードスクリュのネジ山に乗り上げてしまう「食い付き」が発生しやすくなる。この場合、レンズホルダの移動方向とリードスクリュの回転軸とにさらなるずれが生じてしまい、レンズホルダを正常に移動させることができないという問題点がある。
【００１２】
この発明は、上記のような課題を解決するためになされたものであり、この発明の１つの目的は、可動部を正常に移動させることが可能な光ピックアップのレンズ駆動機構を提供することである。
【課題を解決するための手段および発明の効果】
【００１３】
この発明の一の局面による光ピックアップのレンズ駆動機構は、リードスクリュを回転させる駆動源と、リードスクリュと螺合するナット部材と、レンズを保持するとともに、ナット部材が移動可能に係合してナット部材の回転を規制する第１規制部を含み、リードスクリュの回転によるナット部材の移動とともに移動されるレンズ保持部材と、ナット部材と第１規制部との係合状態が解除されるのを抑制する第２規制部を含む基台とを備える。
【００１４】
この発明の一の局面による光ピックアップのレンズ駆動機構では、上記のように、リードスクリュと螺合するナット部材と、ナット部材が移動可能に係合してナット部材の回転を規制する第１規制部を含み、リードスクリュの回転によるナット部材の移動とともに移動されるレンズ保持部材とを備えることによって、レンズ保持部材には、レンズ保持部材の第１規制部に移動可能に係合するナット部材を介して駆動源（リードスクリュ）の駆動力が伝達される。これにより、たとえば、レンズ駆動機構を組み立てる際に生じる部品の組み付け誤差などに起因してリードスクリュの回転軸とレンズ保持部材の移動方向とにずれが生じた場合でも、ナット部材はレンズ保持部材に対して第１規制部を介して移動可能に係合されるので、上記のずれを、ナット部材と第１規制部との移動可能な係合により適宜吸収させることができる。その結果、上記のずれに起因して、ナット部材とリードスクリュとの「食い付き」などが発生するのが抑制されるので、可動部となるレンズ保持部材を正常に移動させることができる。
【００１５】
また、ナット部材と第１規制部との係合状態が解除されるのを抑制する第２規制部を含む基台を備えることによって、レンズ駆動機構に不意な振動や衝撃が加わった場合であっても、ナット部材と第１規制部との係合状態が常に保たれるので、レンズ保持部材を確実に移動させることができる。
【００１６】
上記一の局面による光ピックアップのレンズ駆動機構において、好ましくは、ナット部材は、ナット部材の外側面から突出して第２規制部に配置される第１凸部を含み、基台の第２規制部は、ナット部材の第１凸部が第２規制部に当接することによりナット部材の回転を所定の角度範囲内に規制するように構成されている。このように構成すれば、ナット部材の回転を、基台の第２規制部が形成されている領域内のみに留めることができるので、ナット部材の所定の角度範囲を超えた回転に起因して、ナット部材がレンズ保持部材の第１規制部から外れるのを容易に抑制することができる。
【００１７】
上記ナット部材が第１凸部を含む構成において、好ましくは、第２規制部は、第１凸部が嵌まり込むように形成された凹形状の断面を有する溝部であり、第２規制部は、溝部がレンズ保持部材の移動する方向に沿って延びるように形成されている。このように構成すれば、レンズ保持部材の移動中においても、第２規制部は第１凸部が嵌まり込む溝部の状態で形成されているので、ナット部材が基台の第２規制部から外れるのが抑制される。これにより、ナット部材の回転に起因して、ナット部材とレンズ保持部材の第１規制部との係合状態が解除されるのを容易に抑制することができる。
【００１８】
上記第２規制部が凹形状の断面を有する溝部である構成において、好ましくは、ナット部材は、ナット部材の第１凸部が設けられた位置とは異なる位置の外側面から突出する第２凸部をさらに含み、レンズ保持部材の第１規制部は、凹部を有し、ナット部材は、第２凸部が第１規制部の凹部に移動可能に係合することにより、レンズ保持部材に対するナット部材の回転が規制されるように構成されている。このように構成すれば、ナット部材の第２凸部を第１規制部の凹部に嵌め合わせて係合させることができるので、レンズ保持部材に対するナット部材の回転を容易に規制することができる。
【００１９】
上記ナット部材が第２凸部をさらに含む構成において、好ましくは、ナット部材の第２凸部が第１規制部の凹部と係合する方向と、基台の第２規制部の延びる方向とは略同じである。このように構成すれば、リードスクリュの回転によるナット部材の移動方向である第２規制部（溝部）が延びる方向と、ナット部材の第２凸部がレンズ保持部材の凹部と係合する方向とが略一致するので、レンズ保持部材をナット部材を介して確実に移動させることができる。
【００２０】
上記ナット部材が第２凸部をさらに含む構成において、好ましくは、第１規制部の凹部は、凹部の底部からナット部材の第２凸部に向かって凹部の開口幅が広がるように形成された斜面部を有しており、レンズ保持部材は、ナット部材の第２凸部が斜面部をスライドして第１規制部に嵌まり込むように構成されている。このように構成すれば、レンズ駆動機構に不意な振動や衝撃が加わることに起因してナット部材とレンズ保持部材との係合状態が解除されかけた場合であっても、ナット部材の第２凸部が、レンズ保持部材の第１規制部に形成された斜面部をスライドして第１規制部（凹部）に嵌まり込むことができるので、ナット部材とレンズ保持部材との係合を円滑に行うことができる。
【００２１】
上記第１規制部が斜面部を有する構成において、好ましくは、斜面部は、ナット部材の第２凸部が第１規制部を横切る方向における第１規制部の両側に一対設けられているとともに、第２規制部は、第１凸部が嵌まり込むように形成された凹形状の断面を有する溝部であり、第１規制部の一方側の斜面部から他方側の斜面部までの最大距離は、基台の溝部の幅よりも大きい。このように構成すれば、ナット部材が、回転が許容される所定の角度範囲（基台の第２規制部（溝部）の形成された範囲）内において最大角度まで回転された場合でも、ナット部材の第２凸部を第１規制部の斜面部が形成された領域内に存在させることができるので、ナット部材の第２凸部を斜面部をスライドさせて容易に第１規制部（凹部）に嵌り込ませることができる。
【００２２】
上記一の局面による光ピックアップのレンズ駆動機構において、好ましくは、第１規制部および第２規制部によりナット部材の回転が規制された状態で、リードスクリュの回転を利用してナット部材を光軸方向に移動させてレンズを保持するレンズ保持部材を光軸方向に移動させることによって、光源からのレーザ光をディスクの記録層に集光させる際の球面収差をレンズの移動によって補正するように構成されている。このように構成すれば、レンズ駆動機構によって球面収差を補正する際に、レンズとともに可動するレンズ保持部材を正常に移動させることができるので、確実に球面収差の補正を行うことができる。
【発明を実施するための最良の形態】
【００２３】
以下、本発明を具体化した実施形態を図面に基づいて説明する。
【００２４】
図１は、本発明の一実施形態によるレンズ駆動機構を有する光ピックアップを備えたディスク装置の概略構成を示した斜視図である。図２は、図１に示した一実施形態によるレンズ駆動機構を有する光ピックアップの構成を示した斜視図である。図３〜図１０は、図１に示した一実施形態による光ピックアップのレンズ駆動機構の詳細構造を示した図である。まず、図１〜図３を参照して、本発明の一実施形態によるレンズ駆動機構５０を有する光ピックアップ９０の構造について説明する。
【００２５】
本発明の一実施形態によるレンズ駆動機構５０を有する光ピックアップ９０は、図１に示すように、板金製のシャーシ１に設けられるとともに互いに略平行に配置された２本のガイドシャフト２および３に移動可能に支持されている。そして、光ピックアップ９０は、スクリュ４が取り付けられたモータ５の駆動により、ガイドシャフト２および３の間をＡ方向に往復移動することが可能に構成されている。
【００２６】
また、光ピックアップ９０を図１のＢ１方向に見た場合、図２に示すように、光ピックアップ９０は、樹脂製の基台１０の内部に複数の光学部品からなる光学系２０が組み込まれている。光学系２０の構成を具体的に説明すると、図３に示すように、光学系２０（１点鎖線枠内）は、半導体レーザ素子２１と、回折格子２２と、偏光ビームスプリッタ２３と、コリメートレンズ２４と、１／４波長板２５と、ミラー２６と、対物レンズ２７と、シリンドリカルレンズ２８と、フォトディテクタ２９とが基台１０内部の所定の位置に配置されて構成されている。なお、半導体レーザ素子２１およびコリメートレンズ２４は、それぞれ、本発明の「光源」および「レンズ」の一例である。
【００２７】
また、半導体レーザ素子２１は、ディスク７０に記録された情報の読み取りや、ディスク７０に情報を書き込む際に、ディスク７０の記録層７１に所定の波長を有するレーザ光を照射する機能を有している。なお、半導体レーザ素子２１から出射されるレーザ光の波長は、光ピックアップ９０が読み取り書き込みの対象とするディスクの種類によって適宜選択される。本実施形態におけるディスク７０は、記録層７１が多層化された大容量の光ディスク（たとえばＢｌｕ−ｒａｙ  Ｄｉｓｃなど）を対象としていることから、光ピックアップ９０では、約４０５ｎｍの発振波長を有する青色レーザ光が半導体レーザ素子２１から出射されるように構成されている。
【００２８】
また、図３に示すように、回折格子２２は、半導体レーザ素子２１から出射されたレーザ光を回折して主ビームと２つの副ビームとに分割する機能を有している。また、偏光ビームスプリッタ２３は、半導体レーザ素子２１からのレーザ入射光をコリメートレンズ２４に向けて反射させる一方、ディスク７０到達後にディスク７０で反射されて偏光ビームスプリッタ２３に戻るレーザ光をフォトディテクタ２９に向けて透過させる機能を有している。また、コリメートレンズ２４は、偏光ビームスプリッタ２３からのレーザ入射光を平行光に変換する機能を有している。
【００２９】
ここで、本実施形態では、コリメートレンズ２４は、レンズ駆動機構５０（詳細は後述する）によって光軸方向（図３のＣ方向）に往復移動が可能となるように構成されている。これにより、コリメートレンズ２４を透過したレーザ光は、必ずしも平行光のみから構成されることなく、発散光や収束光となって出射されるように構成されている。
【００３０】
ここで、光ピックアップ９０が対象とするディスク７０は、その規格によって、通常は情報を記録する記録層７１が２層構造（Ｌ０層７２およびＬ１層７３）を有している。この場合、Ｌ０層７２とＬ１層７３（図３参照）とでは、透明樹脂で形成される保護層７４と保護層７５（カバー層）との厚みが異なるために、保護層７４（７５）を透過するレーザ光に球面収差が発生する。したがって、光ピックアップ９０では、コリメートレンズ２４をレンズ駆動機構５０を用いて光軸方向（Ｃ方向）に所定量だけ移動させることによって、対物レンズ２７に入射するレーザ光の収束発散状態を変化させて球面収差の補正を行うことが可能に構成されている。
【００３１】
また、図３に示すように、１／４波長板２５は、コリメートレンズ２４から出射されたレーザ光を円偏光に変換する機能を有している。なお、ディスク７０で反射された後に１／４波長板２５に再入射するレーザ光は、直線偏光に変換されて出射される。この場合、出射される直線偏光の偏光方向は、半導体レーザ素子２１から出射された直線偏光の偏光方向に対して９０度回転された偏光方向を有する。また、ミラー２６は、１／４波長板２５からのレーザ光を、ディスク７０のディスク面に対して垂直に入射させるために設けられている。
【００３２】
また、対物レンズ２７は、入射したレーザ光をディスク７０のＬ０層７２またはＬ１層７３に集光する機能を有している。この対物レンズ２７は、アクチュエータ３０（対物レンズ２７のレンズ駆動機構）に搭載されており、対物レンズ２７は、アクチュエータ３０によってフォーカス方向（光軸方向）およびトラック方向（ディスク７０の半径方向）に移動可能となるように構成されている。これにより、光ピックアップ９０におけるフォーカシング制御やトラッキング制御が可能となるように構成されている。
【００３３】
また、ディスク７０のディスク面で反射された光は、対物レンズ２７を透過後、ミラー２６で再び反射されて、１／４波長板２５、コリメートレンズ２４、偏光ビームスプリッタ２３の順に透過する。そして、シリンドリカルレンズ２８によって非点収差を与えられて、フォトディテクタ２９の受光面２９ａに集光されるように構成されている。また、フォトディテクタ２９は、入射した光情報を電気信号に変換してＲＦアンプ（図示せず）などに出力する機能を有している。なお、フォトディテクタ２９から出力された電気信号は処理されて、再生信号やフォーカスエラー信号やトラッキングエラー信号などに変換される。光ピックアップ９０は、上述した複数の光学部品からなる光学系２０を用いて、ディスク７０に記録された情報などを読み取るように構成されている。
【００３４】
次に、図４〜図１０を参照して、レンズ駆動機構５０の詳細構造について説明する。
【００３５】
レンズ駆動機構５０は、図４に示すように、回転軸にリードスクリュ５１が取り付けられるとともに基台１０に固定されたステッピングモータ５２と、リードスクリュ５１と螺合する樹脂製のリードナット５３と、コリメートレンズ２４が取り付けられた樹脂製のレンズホルダ５４と、基台１０に固定されるとともにレンズホルダ５４の移動をガイドするガイドシャフト５５と、レンズホルダ５４を一方方向（Ｃ２方向）に付勢するためのコイルバネ５６とを備えている。なお、ステッピングモータ５２、リードナット５３およびレンズホルダ５４は、それぞれ、本発明の「駆動源」、「ナット部材」および「レンズ保持部材」の一例である。
【００３６】
また、図４および図５に示すように、レンズホルダ５４は、本体の略中心部５４ａにガイドシャフト５５が挿入される貫通孔５４ｂが設けられている。また、貫通孔５４ｂから見てＡ１側には、コリメートレンズ２４を保持するレンズ保持部５４ｃが一体的に形成されているとともに、貫通孔５４ｂから見てＡ２側には、リードナット５３が嵌め込まれる凹部５４ｅを有する回転規制部５４ｄが一体的に形成されている。また、凹部５４ｅは、Ａ方向に約１．８ｍｍの幅を有するとともに、Ｃ１方向に窪むように形成されている。なお、回転規制部５４ｄは、本発明の「第１規制部」の一例である。
【００３７】
ここで、本実施形態では、図４に示すように、ステッピングモータ５２は、ステッピングモータ５２のリードスクリュ５１とリードナット５３とが螺合した状態で、リードスクリュ５１のＣ１側の端部がレンズホルダ５４の回転規制部５４ｄに設けられた貫通孔５４ｆに挿入されて基台１０に固定されている。また、リードスクリュ５１と螺合するリードナット５３は、レンズホルダ５４の回転規制部５４ｄに対してＣ１方向に移動しながら係合することによりリードナット５３の回転が規制されるように構成されている。これにより、レンズホルダ５４は、回転規制部５４ｄに係合するリードナット５３を介してステッピングモータ５２の駆動力が伝達されてＣ１方向にスライドすることが可能に構成されている。
【００３８】
また、本実施形態では、図５および図６に示すように、リードナット５３は、正面から見て略正方形状に形成された本体部５３ａと、本体部５３ａのＢ２側の外側面からＢ２方向に突出する凸部５３ｂと、ネジ孔５３ｃを挟んで凸部５３ｂが形成された側とは反対側（Ｂ１側）の外側面からＢ１方向に突出する凸部５３ｄとを一体的に有している。また、リードナット５３は、凸部５３ｂおよび５３ｄが略同じ形状を有するように形成されている。また、凸部５３ｂ（５３ｄ）は、Ａ方向に約１．２ｍｍの幅を有している。これにより、リードナット５３の凸部５３ｂ（５３ｄ）が回転規制部５４ｄの凹部５４ｅ（Ａ方向の幅：約１．８ｍｍ）に嵌め込まれることにより、リードナット５３の回転が規制されるように構成されている。なお、凸部５３ｂおよび５３ｄは略同じ形状に形成されているので、回転規制部５４ｄの凹部５４ｅには、凸部５３ｂまたは５３ｄのいずれが嵌め込まれてもリードナット５３の回転が規制可能となるように構成されている。なお、凸部５３ｂおよび５３ｄは、本発明の「第２凸部」および「第１凸部」の一例である。
【００３９】
また、本実施形態では、図５および図７に示すように、レンズホルダ５４の凹部５４ｅは、凹部５４ｅの底部５４ｇから開口部５４ｈに向かって凹部５４ｅの開口幅（Ａ方向の幅）が広がるように形成された平坦面からなる斜面部５４ｉを有している。また、斜面部５４ｉは、凹部５４ｅのＡ方向の両側にそれぞれ形成されており、リードスクリュ５１の回転軸に対して互いに約６０度の角度で傾斜するように形成されている。これにより、リードナット５３の凸部５３ｂ（５３ｄ）が回転しながら回転規制部５４ｄの凹部５４ｅに係合する際、凸部５３ｂ（５３ｄ）の縁５３ｅが斜面部５４ｉに当接するとともに斜面部５４ｉ上を矢印Ｐ方向（図７参照）にスライドしながら凹部５４ｅに嵌め込まれるように構成されている。ここで、図７に示すように、凸部５３ｂ（５３ｄ）の縁５３ｅには、曲面を有するような面取り加工が施されている。したがって、凸部５３ｂ（５３ｄ）が斜面部５４ｉに当接する際は、凸部５３ｂ（５３ｄ）の面取り加工された曲面の部分（縁５３ｅ）が斜面部５４ｉ上を矢印Ｐ方向に滑りながら凹部５４ｅに円滑に嵌め込まれるように構成されている。
【００４０】
また、本実施形態では、図８に示すように、基台１０は、底面１０ａのうちのレンズホルダ５４と係合して移動するリードナット５３の凸部５３ｄ（凸部５３ｂ）が対向する領域に設けられた規制溝部１１を一体的に有している。なお、図８では、レンズ駆動機構５０（図４参照）の一部の構成部品を取り除いてＢ２側から見た基台１０の構造を示している。なお、規制溝部１１は、リードナット５３が移動するＣ方向に沿って延びるように形成されている。また、規制溝部１１を基台１０の断面から見た場合、図６に示すように、リードナット５３の凸部５３ｄ（５３ｂ）の周囲を取り囲むように凹形状の断面を有している。なお、規制溝部１１は、本発明の「第２規制部」および「溝部」の一例である。
【００４１】
また、図６に示すように、回転規制部５４ｄのＡ１側の斜面部５４ｉからＡ２側の斜面部５４ｉまでの最大距離Ｌ１（約３．２ｍｍ）が、基台１０の規制溝部１１の凹形状の断面方向（Ａ方向）の幅Ｄ１（約２．６ｍｍ）よりも大きくなるように構成されている。これにより、たとえば、図９に示すように、ステッピングモータ５２により駆動されてレンズホルダ５４がＣ方向に移動する際、または、レンズホルダ５４が同じ位置で静止している際に、レンズ駆動機構５０に外部からの不意な振動や衝撃が加えられてレンズホルダ５４がＣ１方向にずれた場合でも、図１０に示すように、リードナット５３（凸部５３ｄ）の回転ずれが規制溝部１１の幅Ｄ１の範囲内に留められる。この場合、図７および図１０に示すように、リードナット５３のＢ２側の凸部５３ｂは、斜面部５４ｉが形成された範囲内（最大距離Ｌ１（約３．２ｍｍ））で斜面部５４ｉと当接した状態に保たれている。したがって、リードナット５３の凸部５３ｂは、コイルバネ５６によりＣ２方向に常に付勢されているレンズホルダ５４の斜面部５４ｉ上をＰ方向（図７参照）にスライドして、もとの係合状態（図４および図６参照）に容易に復元されるように構成されている。なお、図６における最大距離Ｌ１の方向（Ａ方向）は、本発明の「ナット部材の第２凸部が第１規制部を横切る方向」の一例である。
【００４２】
また、光ピックアップ９０は、図２に示すように、基台１０の内部に複数の光学部品からなる光学系８０が組み込まれている。光学系８０は、半導体レーザ素子８１と、偏光ビームスプリッタ８３と、コリメートレンズ８４と、ミラー８６と、対物レンズ８７と、シリンドリカルレンズ８８と、フォトディテクタ８９とが基台１０内部の所定の位置に配置されて構成されている。本実施形態における光ピックアップ９０は、記録層が多層化された光ディスク以外のディスク（ＣＤやＤＶＤなど）に記録された情報の読み取りを行うことも可能に構成されている。したがって、光学系８０に使用される半導体レーザ素子８１は、約６５０ｎｍの発振波長を有する赤色レーザ光と、約７８０ｎｍの発振波長を有する赤外レーザ光とを出射することが可能な２波長レーザ素子として構成されている。なお、光学系８０ではＣＤやＤＶＤなどが対象とされるので、ディスク７０ほどの球面収差は発生しない。したがって、光学系８０には、コリメートレンズ８４を球面収差の補正を行う目的で移動させるレンズ駆動機構は設けられていない。なお、レンズ駆動機構以外の光学系８０の構造は、上述した光学系２０の構成と略同様である。
【００４３】
本実施形態では、上記のように、リードスクリュ５１と螺合するリードナット５３と、リードナット５３が移動可能に係合してリードナット５３の回転を規制する回転規制部５４ｄを含み、リードスクリュ５１の回転によるリードナット５３のＣ方向移動とともにＣ方向に移動されるレンズホルダ５４とを備えることによって、レンズホルダ５４には、レンズホルダ５４の回転規制部５４ｄに移動可能に係合するリードナット５３を介してステッピングモータ５２（リードスクリュ５１）の駆動力が伝達される。これにより、たとえば、レンズ駆動機構５０を組み立てる際に生じる部品の組み付け誤差などに起因してリードスクリュ５１の回転軸とレンズホルダ５４の移動方向とにずれが生じた場合でも、リードナット５３はレンズホルダ５４に対して回転規制部５４ｄを介して移動可能に係合されるので、上記のずれを、リードナット５３と回転規制部５４ｄとの移動可能な係合により適宜吸収させることができる。その結果、上記のずれに起因して、リードナット５３とリードスクリュ５１との「食い付き」などが発生するのが抑制されるので、可動部となるレンズホルダ５４をＣ方向に正常にスライド移動させることができる。
【００４４】
また、本実施形態では、リードナット５３と回転規制部５４ｄとの係合状態が解除されるのを抑制する規制溝部１１を含む基台１０を備えることによって、光ピックアップ９０（レンズ駆動機構５０）に不意な振動や衝撃が加わった場合であっても、リードナット５３と回転規制部５４ｄとの係合状態が常に保たれるので、レンズホルダ５４を確実にＣ方向に移動させることができる。
【００４５】
また、本実施形態では、基台１０の規制溝部１１を、リードナット５３の凸部５３ｄが規制溝部１１に当接することによりリードナット５３の回転を所定の角度範囲内に規制するように構成することによって、リードナット５３の回転を、基台１０の規制溝部１１が形成されている領域内のみに留めることができるので、リードナット５３の所定の角度範囲を超えた回転に起因して、リードナット５３がレンズホルダ５４の回転規制部５４ｄから外れるのを容易に抑制することができる。
【００４６】
また、本実施形態では、凹形状の断面がレンズホルダ５４の移動する方向（Ｃ方向）に沿って延びるように規制溝部１１を形成することによって、レンズホルダ５４の移動中においても、規制溝部１１は凸部５３ｄが嵌まり込む溝部の状態で形成されているので、リードナット５３が基台１０の規制溝部１１から外れるのが抑制される。これにより、リードナット５３の回転に起因して、リードナット５３とレンズホルダ５４の回転規制部５４ｄとの係合状態が解除されるのを容易に抑制することができる。
【００４７】
また、本実施形態では、リードナット５３を、凸部５３ｂが回転規制部５４ｄの凹部５４ｅに移動可能に係合することにより、レンズホルダ５４に対するリードナット５３の回転が規制されるように構成することによって、リードナット５３の凸部５３ｂを回転規制部５４ｄの凹部５４ｅに嵌め合わせて係合させることができるので、レンズホルダ５４に対するリードナット５３の回転を容易に規制することができる。
【００４８】
また、本実施形態では、リードナット５３の凸部５３ｂが回転規制部５４ｄの凹部５４ｅと係合する方向（Ｃ１方向）と、基台１０の規制溝部１１が延びる方向（Ｃ方向）とを略同じであるように構成することによって、リードスクリュ５１の回転によるリードナット５３の移動方向である規制溝部１１が延びる方向と、リードナット５３の凸部５３ｂがレンズホルダ５４の凹部５４ｅと係合する方向とが略一致するので、レンズホルダ５４をリードナット５３を介して確実に移動させることができる。
【００４９】
また、本実施形態では、回転規制部５４ｄの凹部５４ｅに、凹部５４ｅの底部５４ｇからリードナット５３の凸部５３ｂ（開口部５４ｈ）に向かって凹部５４ｅの開口幅（図７のＡ方向の幅）が広がるように斜面部５４ｉを形成するとともに、レンズホルダ５４を、リードナット５３の凸部５３ｂが斜面部５４ｉをＰ方向にスライドして回転規制部５４ｄに嵌まり込むように構成することによって、レンズ駆動機構５０に不意な振動や衝撃が加わることに起因してリードナット５３とレンズホルダ５４との係合状態が解除されかけた場合であっても、リードナット５３の凸部５３ｂが、レンズホルダ５４の回転規制部５４ｄに形成された斜面部５４ｉをスライドして回転規制部５４ｄ（凹部５４ｅ）に嵌まり込むことができるので、リードナット５３とレンズホルダ５４との係合を円滑に行うことができる。
【００５０】
また、本実施形態では、回転規制部５４ｄのＡ１側の斜面部５４ｉからＡ２側の斜面部５４ｉまでの最大距離Ｌ１（約３．２ｍｍ）を、基台１０の規制溝部１１の凹形状の断面方向（Ａ方向）の幅Ｄ１（約２．６ｍｍ）よりも大きく構成することによって、リードナット５３の回転が許容される所定の角度範囲（基台１０の規制溝部１１の形成された範囲）内において最大角度まで回転された場合でも、リードナット５３の凸部５３ｂは回転規制部５４ｄの斜面部５４ｉが形成された領域内に存在するので、リードナット５３の凸部５３ｂを斜面部５４ｉをＰ方向にスライドさせて容易に回転規制部５４ｄ（凹部５４ｅ）に嵌り込ませることができる。
【００５１】
また、本実施形態では、レンズ駆動機構５０を、回転規制部５４ｄおよび規制溝部１１によりリードナット５３の回転が規制された状態で、リードスクリュ５１の回転を利用して光軸方向（Ｃ方向）に移動させてコリメートレンズ２４を保持するレンズホルダ５４を光軸方向に移動させることによって、半導体レーザ素子２１からのレーザ光をディスク７０の記録層７１（Ｌ０層７２およびＬ１層７３）に集光させる際の球面収差をコリメートレンズ２４の移動によって補正するように構成している。これにより、レンズ駆動機構５０によって球面収差を補正する際に、コリメートレンズ２４ともに可動するレンズホルダ５４を正常に移動させることができるので、確実に球面収差の補正を行うことができる。
【００５２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５３】
たとえば、上記実施形態では、樹脂製のリードナット５３を用いた例について示したが、本発明はこれに限らず、板金からなる金属製のナット部材を用いてもよい。
【００５４】
また、上記実施形態では、リードナット５３の凸部５３ｄと凸部５３ｂとをネジ孔５３ｃを挟んで互いに反対側に形成した例について示したが、本発明はこれに限らず、凸部５３ｄと凸部５３ｂとがネジ孔５３ｃを挟んで互いに反対側以外の位置関係を有するように形成されていてもよい。たとえば、凸部５３ｂである本発明の「第２凸部」が、凸部５３ｄである本発明の「第１凸部」に対して、ネジ孔５３ｃを中心にリードナット５３の回転方向に約９０度だけ向きを変えた位置に形成されていてもよい。
【００５５】
また、上記実施形態では、リードナット５３に凸部５３ｂ（５３ｄ）を設けるとともに、基台１０およびレンズホルダ５４に凹部（規制溝部１１および凹部５４ｅ）を設けた例について示したが、本発明はこれに限らず、リードナット側に凹部を設けるとともに、基台およびレンズホルダ側に凸部を設けて、リードナットとレンズホルダとを係合させるように構成してもよい。このように構成しても、レンズホルダに対するリードナットの係合状態を適切に維持した状態でリードスクリュ５１の回転を利用してレンズホルダを間接的に移動させることができるので、上記実施形態と同様の効果を得ることができる。
【００５６】
また、上記実施形態では、レンズホルダ５４の凹部５４ｅの斜面部５４ｉが平坦面を有するように形成した例について示したが、本発明はこれに限らず、斜面部５４ｉが曲面を有するように形成してもよい。
【００５７】
また、上記実施形態では、リードナット５３と螺合するリードスクリュ５１がステッピングモータ５２の回転軸に直接取り付けられた例について示したが、本発明はこれに限らず、ステッピングモータ５２が複数のギア部材を介してリードスクリュを間接的に回転駆動させるように構成してもよい。
【００５８】
また、上記実施形態では、規制溝部１１を、凹形状（Ｕ字形状）の断面を有するように形成した例について示したが、本発明はこれに限らず、規制溝部１１が略Ｖ字形状の断面を有するように形成してもよい。
【図面の簡単な説明】
【００５９】
【図１】本発明の一実施形態によるレンズ駆動機構を有する光ピックアップを備えたディスク装置の概略構成を示した斜視図である。
【図２】図１に示した一実施形態によるレンズ駆動機構を有する光ピックアップの構成を示した斜視図である。
【図３】図１に示した一実施形態による光ピックアップの光学系について示した概略図である。
【図４】図１に示した一実施形態による光ピックアップのレンズ駆動機構の詳細構造を示した平面図である。
【図５】図１に示した一実施形態による光ピックアップのレンズ駆動機構の詳細構造を示した分解斜視図である。
【図６】図１に示した一実施形態による光ピックアップのレンズ駆動機構の詳細構造を示した断面図である。
【図７】図１に示した一実施形態による光ピックアップのレンズ駆動機構の詳細構造を示した拡大平面図である。
【図８】図１に示した一実施形態による光ピックアップのレンズ駆動機構の詳細構造を示した平面図である。
【図９】図１に示した一実施形態による光ピックアップのレンズ駆動機構の詳細構造を示した平面図である。
【図１０】図１に示した一実施形態による光ピックアップのレンズ駆動機構の詳細構造を示した断面図である。
【符号の説明】
【００６０】
１０  基台
１１  規制溝部（第２規制部、溝部）
２１  半導体レーザ素子（光源）
２４  コリメートレンズ（レンズ）
５１  リードスクリュ
５２  ステッピングモータ（駆動源）
５３  リードナット（ナット部材）
５３ｂ  凸部（第２凸部）
５３ｄ  凸部（第１凸部）
５４  レンズホルダ（レンズ保持部材）
５４ｄ  回転規制部（第１規制部）
５４ｅ  凹部
５４ｉ  斜面部
７０  ディスク
７１  記録層
【図１】
2010157294.tif 000003
【図２】
2010157294.tif 000004
【図３】
2010157294.tif 000005
【図４】
2010157294.tif 000006
【図５】
2010157294.tif 000007
【図６】
2010157294.tif 000008
【図７】
2010157294.tif 000009
【図８】
2010157294.tif 000010
【図９】
2010157294.tif 000011
【図１０】
2010157294.tif 000012